(57)【要約】【課題】手間をかけず、さらにＩＣタグを破損することなく、当該ＩＣタグの再利用を可能とするタグ装着冶具を提供する。【解決手段】ＩＣタグ装着用冶具１は円形の底部２から断面が波型の壁３を直立して形成している。壁３は、円形の底部２の外周に沿って形成されているが、４ヶ所の切り欠き部５により４つに分割されている。また、壁３の高さ方向の中心部４は内側に絞られた構造である。また、底部５の裏面側は粘着材６が貼付されている。【選択図】図５
2008123281.tif 000002
【特許請求の範囲】
【請求項１】
ＩＣタグを装着するためのＩＣタグ装着用冶具において、
前記ＩＣタグを嵌め込んだ状態で保持すると共に、当該ＩＣタグを取り外すことができる嵌め込み部と、
前記嵌め込み部に嵌め込まれた前記ＩＣタグに書き込まれた管理情報の対象となる対象物に本冶具を取り付けるための粘着部と
を備えるＩＣタグ装着用冶具。
【請求項２】
前記ＩＣタグの形状は円形であり、前記嵌め込み部は円形状のＩＣタグを嵌め込む構造であることを特徴とする請求項１記載のＩＣタグ装着用冶具。
【請求項３】
柔軟性を有する樹脂材により形成されることを特徴とする請求項１記載のＩＣタグ装着用冶具。
【請求項４】
医療用の薬剤容器に取り付けられることを特徴とする請求項１記載のＩＣタグ装着用冶具。
【発明の詳細な説明】
【技術分野】
【０００１】
本発明は、ＩＣタグを装着するためのＩＣタグ装着用冶具に関する。
【背景技術】
【０００２】
ＩＣカードを小型化し、タグ状に形成したものは、「ＩＣタグ」と呼ばれ、チップの小型化と低コスト化により、様々な分野における製造・流通・販売等の一括管理によるサプライチェーン・マネジメント（ＳＣＭ）支援や、販売データを活用したカスタマー・リレーションシップ・マネジメント（ＣＲＭ）支援にも活用されている。
【０００３】
近年、新たな用途として医療用の薬剤容器の在庫等の管理が注目されるようになっている。一例としては、医薬用のラベルに内蔵したＩＣタグ（特許文献１）が提案されている。
【特許文献１】特開２００３−６３６５４号
【発明の開示】
【発明が解決しようとする課題】
【０００４】
しかし、小型容器、特に容量が１０ｍｌ前後のアンプル瓶にＩＣタグを適用する場合は、ＩＣタグの再利用が問題となってくる。つまり、ＩＣタグをアンプル瓶に接着剤等で添付することが考えられるが、再利用しようとすると使用後のアンプル瓶から接着されたＩＣタグを取り外さなければならず、手間がかかる上、さらに取り外しの際に、ＩＣタグを破損してしまう恐れがあった。また、取り外したＩＣタグには接着剤が塗布されたままであり、接着剤自体を除去する作業も必要となってくる。もちろん、除去作業の際にＩＣタグを破損してしまう恐れもあった。
【０００５】
本発明は、前記課題を解決し、手間をかけず、さらにＩＣタグを破損することなく、当該ＩＣタグの再利用を可能とするタグ装着冶具の提供を目的とする。
【課題を解決するための手段】
【０００６】
本発明に係るＩＣタグ装着用冶具は、前記課題を解決するために、ＩＣタグを装着するためのＩＣタグ装着用冶具において、前記ＩＣタグを嵌め込んだ状態で保持すると共に、当該ＩＣタグを取り外すことができる嵌め込み部と、前記嵌め込み部に嵌め込まれた前記ＩＣタグに書き込まれた管理情報の対象となる対象物に本冶具を取り付けるための粘着部とを備える。対象物が破棄されるときには、容易に嵌め込み部からＩＣタグを取り外すことができる。
【０００７】
また、ＩＣタグの形状は円形であり、前記嵌め込み部は円形状のＩＣタグを嵌め込む構造であるのが好ましい。
【０００８】
また、柔軟性を有する樹脂材により形成されることが好ましい。医療用の薬剤容器に取り付けられることが好ましい。
【発明の効果】
【０００９】
本発明によれば、手間をかけず、さらにＩＣタグを破損することなく、当該ＩＣタグの再利用を可能とする。
【発明を実施するための最良の形態】
【００１０】
以下、本発明の好適な実施の形態について詳細に説明する。本発明は、これらの実施形態に限定されるものではない。
【００１１】
図１は、第１の実施の形態のＩＣタグ装着用冶具１の概観図である。このＩＣタグ装着用冶具１は、円形のＩＣタグを装着するための形状であり、例えば柔軟性、可撓性を有するポリエチレンを材料としている。
【００１２】
特に、このＩＣタグ装着用冶具１は、後述するＩＣタグ７（図３参照）を嵌め込んだ状態で保持すると共に、当該ＩＣタグ７を取り外すことができる嵌め込み部９と、嵌め込み部９に嵌め込まれたＩＣタグ７に書き込まれた管理情報の対象となる対象物（図５に示すアンプル瓶８）に本冶具を取り付けるための粘着部６とを備える。
【００１３】
具体的に、ＩＣタグ装着用冶具１は円形の底部２から断面が波型の壁３を直立して形成している。壁３は、円形の底部２の外周に沿って形成されているが、４ヶ所の切り欠き部５により４つに分割されている。また、壁３の高さ方向の中心部４は内側に絞られた構造である。また、底部５の裏面側は粘着材６が貼付されている。
【００１４】
図２はＩＣタグ装着用冶具１の上面図（ａ）と、断面図（ｂ）を示している。４つに分割された壁３は、円形の底部２の外周に沿って形成されており、壁３と壁３の間には、等間隔で切り欠き部５が形成されている。断面図（ｂ）から明らかなように、ポリエチレンの壁３の中心部４が内側に絞られていることにより、底部２側に装着物を嵌め込み、保持する嵌め込み部９が形成される構造となっている。
【００１５】
ＩＣタグ装着用冶具１の材料としては、前述したポリエチレンのほか、ポリプロピレン、ポリスチレン、ポリカーボネート等の樹脂材や、塩化ビニルなどを用いることができる。いずれにしても、柔軟性を有し、保持性が高く、安価な材料である。
【００１６】
図３には、ＩＣタグ７を装着した状態のＩＣタグ装着用冶具１の概観を示す。また、図４には、ＩＣタグ７を装着した状態のＩＣ装着用冶具１の上面図（ａ）、断面図（ｂ）を示す。ＩＣタグ７は、ＩＣカードを小型化し、タグ状に形成したものであり、半導体チップと、アンテナとして用いられる導体回路とを内蔵している。
【００１７】
ＩＣタグ７はいわゆる非接触タグであり、例えばＨＦ波やＵＨＦ波やマイクロ波を用いる電波方式の通信を行い、半導体チップにアンテナを取り付けた構造で、数メートルの距離の通信が可能である。半導体チップ内に例えば医療用の薬剤容器の在庫管理情報等が格納されている。この在庫管理情報等は、導体回路でなるアンテナを介して電波方式の通信により、ＩＣタグ読み取り部に読み取られる。ＩＣタグ読み取り部によって読み取られた在庫管理情報は在庫管理の担当者によって把握される。
【００１８】
図３及び図４に示す状態は、ＩＣタグ７をＩＣタグ装着用冶具１の嵌め込み部９に嵌め込んだ状態である。手順としては、円形のＩＣタグ７をＩＣタグ装着用冶具１の上部から、底部２に略平行となるように保持しながら、壁３の中心部４に向けて嵌め込む。壁３は、断面が波型に形成されており、底部から中心部４に向かって径が狭くなり、中心部４から上部に向かって径が広くなっていく形状である。底部２と壁３の上部の直径はほぼ等しく、さらにＩＣタグ７の直径よりも長い。また、壁３は４つの切り欠き部５を介して４つに分割されており、材料の特性からしてＩＣタグ７の着脱時には矢印８で示すように少し開く。このため、ＩＣタグ７は、図３及び図４に示すように、ＩＣタグ装着用冶具１の底部２に略接するように嵌め込み部９に嵌め込まれ、固定される。
【００１９】
また、ＩＣタグ７をＩＣタグ装着用冶具１から取り外すときには、切り欠き部５から指、棒などをいれて、ＩＣタグ７を嵌め込み部９から上部に持ち上げることにより、簡単に取り外すことができる。もちろん、ＩＣタグ７を損傷することはない。
【００２０】
ＩＣタグ７の直径が例えば１０ｍｍ、１５ｍｍである場合には、ＩＣタグ装着用冶具１の底部２の直径を、壁の厚みを考慮した長さにする。
【００２１】
冶具の裏面に設けた粘着材６はＩＣタグ７によって例えば在庫が管理される医療用の薬剤容器の底部に粘着されて、固定される。
【００２２】
図５は、ＩＣタグ７を装着した状態のＩＣタグ装着用冶具１を前記医療用の薬剤容器であるアンプル瓶８の底部に、粘着材６により取り付けた状態を示す。
【００２３】
アンプル瓶８から薬剤が取り出された後、ＩＣタグ７は再利用のためにＩＣタグ装着用冶具１から取り外される。ＩＣタグ装着用冶具１の嵌め込み部９は、上述したように、ＩＣタグ７を確実に保持することができるが、取り外す際には、ＩＣタグ７を損傷することなく嵌め込み部９から簡単に取り外すことができる。
【００２４】
したがって、このＩＣタグ装着用冶具１によれば、手間をかけず、さらにＩＣタグを破損することなく、当該ＩＣタグの再利用を可能とする。
【００２５】
次に、図６は、第２の実施の形態のＩＣタグ装着用冶具１１の概観図である。このＩＣタグ装着用冶具１１も、円形のＩＣタグを装着するための形状であり、例えば柔軟性及び可撓性を有するポリエチレンを材料としている。具体的に、ＩＣタグ装着用タグ１１は円形の底部１２から対向する２箇所の突起部１３、１３を直立して形成し、突起部１３、１３には円形のＩＣタグ７を固定するための各嵌め込み孔１４ａが内側の対向面１３ａ、１３ａ中に設けられて嵌め込み部１４が形成される。また、底部１２の裏面側は粘着材１５が貼付されている。
【００２６】
図７はＩＣタグ装着用冶具１１の上面図（ａ）と、断面図（ｂ）を示している。前記円形の底部１２の外周上の対向する２箇所に設けられた突起部１３、１３に挟まれて形成された嵌め込み部１４はＩＣタグ７を対向する二つの各嵌め込み孔１４ａで確実に保持することができる。断面図（ｂ）から明らかなように、ポリエチレンによってなる各嵌め込み孔１４ａの形状が断面コの字状であるので、ＩＣタグ７を確実に保持することができる。
【００２７】
ＩＣタグ装着用冶具１１の材料としても、前述したポリエチレンのほか、ポリプロピレン、ポリスチレン、ポリカーボネート、塩化ビニルなどを用いることができる。いずれにしても、柔軟性を有し、保持性が高く、安価な材料である。
【００２８】
図８には、ＩＣタグ７を装着した状態のＩＣタグ装着用冶具１１の概観を示す。また、図９には、ＩＣタグ７を装着した状態のＩＣタグ装着用冶具１１の上面図（ａ）、断面図（ｂ）を示す。
【００２９】
図８及び図９に示す状態は、ＩＣタグ７をＩＣタグ装着用冶具１１の嵌め込み部１４に嵌め込んだ状態である。手順としては、円形のＩＣタグ７をＩＣタグ装着用冶具１１の上部から、底部１２に略平行となるように保持しながら、対向して形成された突起部１３、１３の対向する面１３ａ、１３ａに形成された、対向する嵌め込み孔１４ａ、１４ａからなる嵌め込み部１４に嵌め込む。円形の底部１２の直径は、ＩＣタグ７の直径よりもやや長く形成されている。また、前記対向する嵌め込み部１４ａ、１４ａも、ＩＣタグ７を嵌め込むのに十分な形状、距離にて形成される。もちろん、突起部１３は、材料の特性からしてＩＣタグ７の着脱時には矢印１６で示すように少し開く。このため、ＩＣタグ７は、図８及び図９に示すように、ＩＣタグ装着用冶具１１の底部１２上に形成された嵌め込み部１４に嵌め込まれ、固定される。
【００３０】
また、ＩＣタグ７をＩＣタグ装着用冶具１１から取り外すときには、突起部１３、１３の間から指により、ＩＣタグ７を嵌め込み部１４から上部に持ち上げることにより、簡単に取り外すことができる。
【００３１】
ＩＣタグ７の直径が例えば１０ｍｍ、１５ｍｍである場合には、ＩＣタグ装着用冶具１の底部２の直径をやや大きめにする。
【００３２】
冶具の裏面に設けた粘着材１５はＩＣタグ７によって例えば在庫が管理される医療用の薬剤容器の底部に粘着されて、固定される。
【００３３】
図１０は、ＩＣタグ７を装着した状態のＩＣタグ装着用冶具１１を前記医療用の薬剤容器であるアンプル瓶８の底部に、粘着材１５により取り付けた状態を示す。
【００３４】
アンプル瓶８から薬剤が取り出された後、ＩＣタグ７は再利用のためにＩＣタグ装着用冶具１１から取り外される。ＩＣタグ装着用冶具１１の嵌め込み部１４は、上述したように、ＩＣタグ７を確実に保持することができるが、取り外す際には、ＩＣタグ７を損傷することなく嵌め込み部１４から簡単に取り外すことができる。
【００３５】
したがって、このＩＣタグ装着用冶具１１によれば、手間をかけず、さらにＩＣタグを破損することなく、当該ＩＣタグの再利用を可能とする。
【００３６】
図１１は、第１の実施の形態のＩＣタグ装着用治具を示す六面図である。図１１（ａ）は平面図、図１１（ｂ）は左側面図、図１１（ｃ）は正面図、図１１（ｄ）は右側面図、図１１（ｅ）は背面図、図１１（ｆ）は底面図である。
【００３７】
図１２は、第２の実施の形態のＩＣタグ装着用治具を示す六面図である。図１２（ａ）は平面図、図１２（ｂ）は左側面図、図１２（ｃ）は正面図、図１２（ｄ）は右側面図、図１２（ｅ）は背面図、図１２（ｆ）は底面図である。
【図面の簡単な説明】
【００３８】
【図１】第１の実施の形態のＩＣタグ装着用冶具の概観図である。
【図２】ＩＣタグ装着用冶具の上面図（ａ）と、断面図（ｂ）である。
【図３】ＩＣタグを装着した状態のＩＣタグ装着用冶具の概観図である。
【図４】ＩＣタグを装着した状態の装着冶具の上面図（ａ）、断面図（ｂ）である。
【図５】ＩＣタグを装着した状態のＩＣタグ装着用冶具をアンプル瓶の底部に、粘着材により取り付けた状態図である。
【図６】第２の実施の形態のＩＣタグ装着用冶具の概観図である。
【図７】ＩＣタグ装着用冶具の上面図（ａ）と、断面図（ｂ）である。
【図８】ＩＣタグを装着した状態のＩＣタグ装着用冶具の概観図である。
【図９】ＩＣタグを装着した状態の装着冶具の上面図（ａ）、断面図（ｂ）である。
【図１０】ＩＣタグを装着した状態のＩＣタグ装着用冶具をアンプル瓶の底部に、粘着材により取り付けた状態図である。
【図１１】図１１は、第１の実施の形態のＩＣタグ装着用治具を示す六面図である。
【図１２】図１２は、第２の実施の形態のＩＣタグ装着用治具を示す六面図である。
【符号の説明】
【００３９】
１  ＩＣタグ装着用冶具
２  円形の底部
３  壁
４  壁の中心部
５  切り欠き部
６  粘着材
７  ＩＣタグ
９  嵌め込み部
【図１】
2008123281.tif 000003
【図２】
2008123281.tif 000004
【図３】
2008123281.tif 000005
【図４】
2008123281.tif 000006
【図５】
2008123281.tif 000007
【図６】
2008123281.tif 000008
【図７】
2008123281.tif 000009
【図８】
2008123281.tif 000010
【図９】
2008123281.tif 000011
【図１０】
2008123281.tif 000012
【図１１】
2008123281.tif 000013
【図１２】
2008123281.tif 000014